(57)【要約】【課題】衣類収容室に収容した衣類が盗難に遭うことを防止或いは抑制できる衣類処理装置を提供すること。【解決手段】衣類処理装置１は、ハンガー掛け２２を備える衣類収容室９と、衣類収容室９を開閉する扉７と、衣類収容室９に供給する蒸気を発生させる蒸気発生器１５と、蒸気発生器１５に電力を供給する主電源装置５７と、扉７を閉じた状態にロックするロック機構３と、コインタイマー４と、を有する。ロック機構３は、ソレノイドを駆動源とする電動のアクチュエータ３６を備える。また、衣類処理装置１は、コインタイマー４のタイマースイッチ部１４に動作時間が設定されてから当該動作時間が経過するまでの間、アクチュエータ３６に電力を供給して扉７をロックするとともに主電源装置５７に電力を供給する電力供給機構５０と、を有する。【選択図】図４
2019150236.tif 000002
【特許請求の範囲】
【請求項１】
ハンガー掛けを備える衣類収容室と、
前記衣類収容室を開閉する扉と、
前記衣類収容室に蒸気を供給するための蒸気発生器と、
前記蒸気発生器に電力を供給する電源装置と、
電動のアクチュエータを備え、前記アクチュエータの駆動により前記扉を閉じた状態にロックするロック機構と、
支払い金額を取得する金額取得部と、前記支払い金額に対応する動作時間が設定されるタイマースイッチ部と、を備える動作時間設定部と、
前記動作時間が設定されてから当該動作時間が経過するまでの間、前記アクチュエータに電力を供給して前記扉をロックするとともに前記電源装置に電力を供給する電力供給機構と、を有することを特徴とする衣類処理装置。
【請求項２】
前記電力供給機構は、前記アクチュエータへ電力を供給するための給電線を備え、
前記タイマースイッチ部は、前記給電線の途中に設けられており、前記動作時間が設定されてから当該動作時間が経過するまでオンとなって前記給電線を接続し、前記動作時間が経過するとオフとなって前記給電線を切断することを特徴とする請求項１に記載の衣類処理装置。
【請求項３】
前記電力供給機構は、前記電源装置に電力を供給するための電源線と、リレーと、を備え、
前記リレーのコイル部は、前記給電線の途中に設けられ、
前記リレーの接点部は、前記電源線の途中に設けられ、
前記リレーは、前記タイマースイッチ部が前記給電線を接続して前記アクチュエータへの電力の供給が行われると前記コイル部に電力が供給されて前記接点部が前記電源線を接続し、前記タイマースイッチ部が前記給電線を切断して前記アクチュエータへの電力の供給が停止すると前記コイル部への電力の供給が停止して前記電源線を切断することを特徴とする請求項２に記載の衣類処理装置。
【請求項４】
前記給電線の途中に配置されて当該給電線を接続された状態と切断された状態とに切り替えるロック解除スイッチを有することを特徴とする請求項２または３に記載の衣類処理装置。
【発明の詳細な説明】
【技術分野】
【０００１】
本発明は、衣類収容室に収容した衣類のしわを蒸気によって伸ばす衣類処理装置に関する。
【背景技術】
【０００２】
蒸気により衣類のしわを伸ばす衣類処理装置は特許文献１に記載されている。同文献の衣類処理装置は、ハンガー掛けを備える衣類収容室と、衣類収容室を開閉する扉と、蒸気を発生させる蒸気発生器と、衣類収容室内に蒸気を導くダクトと、衣類収容室内に気流を発生させるファンと、を備える。衣類のしわを伸ばす際には、衣類を吊したハンガーを衣類収容室内のハンガー掛けに掛けて、扉を閉める。その後、蒸気発生器およびファンを駆動して、衣類収容室内で蒸気を対流させる。これにより、蒸気が衣類に付着してしわを伸ばす。
【先行技術文献】
【特許文献】
【０００３】
【特許文献１】特開平５−１６１７９７号公報
【発明の概要】
【発明が解決しようとする課題】
【０００４】
衣類処理装置は、近年、コインランドリー、スポーツジムの更衣室、宿泊施設の共用スペース、などに設置されている。しかし、これらの設置場所は、不特定多数の者が出入りする場所なので、衣類収容室に収容した衣類が盗難に遭う可能性がある。
【０００５】
本発明の課題は、このような点に鑑みて、衣類収容室に収容した衣類が盗難に遭うことを防止或いは抑制できる衣類処理装置を提供することにある。
【課題を解決するための手段】
【０００６】
上記の課題を解決するために、本発明の衣類処理装置は、ハンガー掛けを備える衣類収容室と、前記衣類収容室を開閉する扉と、前記衣類収容室に蒸気を供給するための蒸気発生器と、前記蒸気発生器に電力を供給する電源装置と、電動のアクチュエータを備え、前記アクチュエータの駆動により前記扉を閉じた状態にロックするロック機構と、支払い金額を取得する金額取得部と、前記支払い金額に対応する動作時間が設定されるタイマースイッチ部と、を備える動作時間設定部と、前記動作時間が設定されてから当該動作時間が経過するまでの間、前記アクチュエータに電力を供給して前記扉をロックするとともに前記電源装置に電力を供給する電力供給機構と、を有することを特徴とする。
【０００７】
本発明によれば、動作時間設定部のタイマースイッチ部に支払い金額に応じた動作時間が設定されると、ロック機構の電動のアクチュエータに電力が供給されて扉がロックされる。また、動作時間が設定されてから動作時間が経過するまでの間、電動のアクチュエータに電力が供給されるので、扉はロックした状態に維持される。従って、衣類処理装置が、不特定多数が出入りする場所に設置されている場合でも、衣類収容室に収容した衣類が盗難に遭うことを防止あるいは抑制できる。さらに、動作時間設定部のタイマースイッチ部に支払い金額に応じた動作時間が設定されると、電源装置に電力が供給される。これにより、蒸気発生器が動作可能となるので、衣類処理装置は蒸気によって衣類のしわを伸ばす衣類処理動作を行うことができる。
【０００８】
本発明において、前記電力供給機構は、前記アクチュエータへ電力を供給するための給
電線を備え、前記タイマースイッチ部は、前記給電線の途中に設けられており、前記動作時間が設定されてから当該動作時間が経過するまでオンとなって前記給電線を接続し、前記動作時間が経過するとオフとなって前記給電線を切断するものとすることができる。このようにすれば、支払い金額に対応する動作時間が設定されてから当該動作時間が経過するまでの間、すなわち、タイマースイッチ部がオンとなっている間、アクチュエータに電力を供給して、扉をロックした状態に維持できる。また、タイマースイッチがオフとなると、アクチュエータへの電力の供給が不能となるので、扉のロックが解除される。これにより、衣類処理装置の利用者は自己の衣類を衣類収容室から取り出すことができる。また、動作時間が経過すると、扉のロックが解除されるので、利用者に衣類の取り出しを促すことができる。
【０００９】
本発明において、前記電力供給機構は、前記電源装置に電力を供給するための電源線と、リレーと、を備え、前記リレーのコイル部は、前記給電線の途中に設けられ、前記リレーの接点部は、前記電源線の途中に設けられ、前記リレーは、前記タイマースイッチ部が前記給電線を接続して前記アクチュエータへの電力の供給が行われると前記コイル部に電力が供給されて前記接点部が前記電源線を接続し、前記タイマースイッチ部が前記給電線を切断して前記アクチュエータへの電力の供給が停止すると前記コイル部への電力の供給が停止して前記電源線を切断するものとすることができる。このようにすれば、タイマースイッチ部がオンとなっている間、電源装置に電力を供給して蒸気発生器を動作可能として、衣類処理装置に衣類処理動作を行わせることができる。また、このようにすれば、タイマースイッチ部のオンとオフとに連動させて、衣類処理装置に衣類処理動作を行わせることが容易である。
【００１０】
本発明において、前記給電線の途中に配置されて当該給電線を接続された状態と切断された状態とに切り替えるロック解除スイッチを有することが望ましい。このようにすれば、アクチュエータへの給電が行われているときにロック解除スイッチを操作することにより、給電線を切断してロック機構による扉のロックを解除することができる。従って、故障などによって動作時間が経過した後にアクチュエータへの給電が継続されて扉がロックされている場合などに、ロック解除スイッチの操作によって扉のロックを解除できる。よって、故障時において、衣類収容室から衣類を取り出すことができる。
【発明の効果】
【００１１】
本発明によれば、衣類収容室を開閉する扉をロックできるので、衣類処理装置に収容された衣類が盗難に遭うことを防止或いは抑制できる。
【図面の簡単な説明】
【００１２】
【図１】扉を閉じた状態の衣類処理装置の斜視図である。
【図２】扉を開いた状態の衣類処理装置の斜視図である。
【図３】装置本体の制御系の概略ブロック図
【図４】衣類処理装置の結線図である。
【発明を実施するための形態】
【００１３】
以下に、図面を参照して、本発明の実施の形態である衣類処理装置を説明する。
【００１４】
（全体構成）
図１は扉を閉じた状態の衣類処理装置の斜視図である。図２は扉を開いた状態の衣類処理装置の斜視図である。図３は装置本体の制御系の概略ブロック図である。図１に示すように、衣類処理装置１は、上下方向に長い直方体形状の装置本体２と、装置本体２の上面に設けられたロック機構３と、装置本体２の側面に固定されたコインタイマー４（動作時間設定部）と、を備える。装置本体２は箱体６と、箱体６を開閉する扉７を備える。以下
の説明では、箱体６と扉７との配列方向を衣類処理装置１の前後方向Ｘとする。また、扉７が位置する側を前後方向Ｘの前方、箱体６が位置する側を前後方向Ｘの後方とする。前後方向Ｘおよび上下方向Ｚと直交する方向を衣類処理装置１の幅方向Ｙとする。
【００１５】
図２に示すように、箱体６は、その開口部６ａを前方に向けている。扉７は、箱体６の前端部分に取り付けられて箱体６を前方から開閉する。箱体６の内部の下側部分には、幅方向Ｙに延びて箱体６の内部を上下に仕切る仕切り板８が取り付けられている。箱体６の内部で仕切り板８の上側に区画された空間は衣類収容室９である。箱体６の内部で仕切り体の下側に区画された空間は機械室１０である。箱体６に取り付けられた扉７は、衣類収容室９および機械室１０の双方を開閉する。図１に示すように、扉７の前面には、タッチパネル１１が取り付けられている。
【００１６】
機械室１０には、蒸気発生器１５、加温装置１６、ファン１７、ヒートポンプ装置１８が設置されている。また、蒸気発生器１５に水を供給するための給水タンク１９、水滴となった蒸気を回収するための排水タンク２０が設置されている。給水タンク１９および排水タンク２０は機械室１０の前側に配置されており、扉７を開いたときに着脱できる。
【００１７】
衣類収容室９は、その天井に近い位置にハンガー掛け２２を備える。ハンガー掛け２２は、装置本体２の幅方向Ｙに延びる。ハンバー掛け２２には、衣類１００が吊るされたハンガー１０１が掛けられる。
【００１８】
ハンガー掛け２２は、ハンガー振動機構２３を介して、衣類収容室９の天井部分に固定されている。ハンガー振動機構２３は、ハンガー掛け２２を比較的短い周期で幅方向Ｙに往復移動させて、振動させるものである。ハンガー振動機構２３は、駆動源としてモータ２４を備える。また、衣類収容室９を構成する扉７の内側面（扉７の背面）には、ズボンハンガーを吊るすためのフック２５が設けられている。また、扉７には、背面側からズボンハンガーに吊るされたズボンを扉７の内側面に押し付けるためのプレス用の板部材２６が取り付けられている。
【００１９】
仕切り板８には、機械室１０と衣類収容室９を連通させる第１開口部３１(ダクト）および第２開口部３２(ダクト）が設けられている。第１開口部３１は仕切り板８の後側部分に設けられ、第２開口部３２は仕切り板８の前側部分に設けられている。ファン１７が形成する気流Ｓは、第１開口部３１において、機械室１０の側から衣類収容室９の側に流れる。また、気流Ｓは、第２開口部３２において、衣類収容室９の側から機械室１０の側に流れる。従って、気流Ｓは、図２に二点鎖線の矢印で示すように、衣類収容室９の後側を上方に向い、衣類収容室９の前側を下方に向かうように、対流する。
【００２０】
また、装置本体２は、図３に示すように、ＣＰＵ、ＲＯＭ、ＲＡＭ等を備える制御部３４を備える。制御部３４は、衣類収容室９の後側、或いは、機械室１０内に配置されている。制御部３４にはタッチパネル１１が接続されている。また、制御部３４の出力側には蒸気発生器１５、加温装置１６、ファン１７、ヒートポンプ装置１８、および、モータ２４が接続されている。
【００２１】
制御部３４は、タッチパネル１１に、衣類処理動作の動作モードを複数表示する。利用者が表示された複数の動作モードの中から一つの動作モードを選択すると、制御部３４は、タッチパネル１１に選択された動作モードが終了するまでの時間と、スタートボタンと、を表示する。また、利用者がスタートボタンをタッチすると、制御部３４は、タッチパネル１１を介して選択された動作モードに基づいて、蒸気発生器１５、加温装置１６、ファン１７、ヒートポンプ装置１８、モータ２４を駆動制御して衣類処理動作を行う。
【００２２】
図１、図２に示すように、ロック機構３は、箱体６の側に固定した電動のアクチュエータ３６と、アクチュエータ３６により駆動される係止部材３７を備える。また、ロック機構３は、扉７の側に設けた被係止部３８を備える。アクチュエータ３６は、駆動源としてソレノイドを備える。係止部材３７は、例えば、係止フックであり、被係止部３８は、例えば、係止フックが係止される凹部である。係止部材３７は、扉７に設けた被係止部３８に係止する係止位置と、被係止部３８から離間して扉７の開閉を妨げない離間位置との間で移動する。ロック機構３は、アクチュエータ３６に電力が供給されている間（アクチュエータ３６が駆動されている間）、係止部材３７を係止位置に配置して、扉７を閉じた状態にロックする。また、ロック機構３は、アクチュエータ３６への電力の供給が停止すると、係止部材３７を離間位置に配置して、扉７のロックを解除する。ロック機構３の背面側には、ロック解除スイッチ４０が取り付けられている。
【００２３】
図１に示すように、コインタイマー４は、コイン投入口４３と、表示部４４を備える。また、コインタイマー４は、利用者による支払い金額を取得する金額取得部１３と、金額取得部１３が取得した支払い金額に対応する動作時間が設定されるタイマースイッチ部１４と、を備える。支払い金額取得部１３は、コイン投入口４３に投入されたコインの枚数を計数して支払い金額として取得し、支払い金額をタイマースイッチ部１４に通知する。タイマースイッチ部１４は、支払い金額が通知されると、自己の動作時間として支払い金額に対応する時間を設定する。そして、タイマースイッチ部１４は、動作時間が設定されてから動作時間が経過するまでの間、オンの状態を維持する。その後、動作時間が経過すると、タイマースイッチ部１４は、オフとなる。表示部４４には、コインの投入枚数（支払い金額）に対応する動作時間が表示される。また、表示部４４には、コインを投入した時点からの時間の経過に伴って、コインタイマー４がオンの状態を維持する残りの時間が表示される。
【００２４】
（衣類処理装置の電力供給系）
図４は衣類処理装置１の電気結線図である。衣類処理装置１は、コインタイマー４に動作時間が設定されてから動作時間が経過するまでの間、ロック機構３のアクチュエータ３６および主電源装置５７に電力を供給する電力供給機構５０を有する。電力供給機構５０は、主電源装置５７に電力を供給するための電源線５２と、アクチュエータ３６へ電力を供給するための給電線５８と、バイパワーリレー６２（リレー）と、を備える。
【００２５】
図４に示すように、電源線５２は、装置本体２の主電源装置５７から延びて先端にプラグ５３が取り付けられた本体側電源線５４を備える。また、電源線５２は、施設や建物に配設された電源コンセント５１から延びて、先端に本体側電源線５４のプラグ５３が着脱可能に接続される着脱用コンセント５５を備える電源側電源線５６を備える。電源コンセント５１から供給される電力は、電源線５２を介して主電源装置５７に供給され、主電源装置５７から、タッチパネル１１、蒸気発生器１５、加温装置１６、ファン１７、ヒートポンプ装置１８、および、制御部３４へ供給される。
【００２６】
また、給電線５８は、電源コンセント５１に接続されるプラグ５９を備える。プラグ５９が電源コンセント５１に接続されることにより、給電線５８は、電源コンセント５１とアクチュエータ３６との間を接続する。給電線５８の途中には、ＡＣアダプター６０、コインタイマー４、および、ロック解除スイッチ４０が設けられている。
【００２７】
コインタイマー４のタイマースイッチ部１４は、給電線５８の途中で、給電線５８を接続した状態と切断した状態とに切り替える。すなわち、タイマースイッチ部１４は、動作時間が設定されてから当該動作時間が経過するまでオンとなって給電線５８を接続する。これにより、アクチュエータ３６には給電線５８を介して電力が供給される。従って、タイマースイッチ部１４がオンとなっている間、ロック機構３により扉７は閉状態に維持さ
れる。また、タイマースイッチ部１４は、動作時間が経過するとオフとなって給電線５８を切断する。これにより、アクチュエータ３６への電力の供給が不能となる。従って、タイマースイッチ部１４がオフとなると、ロック機構３による扉７のロックは解除され、扉７は開閉可能となる。
【００２８】
ロック解除スイッチ４０は、通常、給電線５８を接続した状態に維持している。ロック解除スイッチ４０が操作されると、給電線５８は接続されている状態から切断された状態に切り替わる。従って、アクチュエータ３６への給電が行われているときにロック解除スイッチ４０が操作されると、給電線５８が切断されてロック機構３による扉７のロックが解除される。
【００２９】
バイパワーリレー６２（リレー）は、コイル部６３と、接点部６４を備える。コイル部６３は、直流の電力を供給する給電線５８の途中に設けられ、接点部６４は、交流の電力を供給する電源線５２の途中に設けられている。バイパワーリレー６２は、コイル部６３に電力が供給されると、接点部６４が動作して、電源線５２を接続する。一方、コイル部６３への電力の供給が停止すると、接点部６４は電源線５２を切断する。従って、バイパワーリレー６２は、タイマースイッチ部１４がオンとなり、給電線５８を介してアクチュエータ３６に電力が供給されている間、動作して、電源線５２を接続する。これにより、装置本体２の主電源装置５７には、電源線５２を介して、電力が供給される。一方、タイマースイッチ部１４がオフとなり、給電線５８を介したアクチュエータ３６への電力の供給が停止すると、バイパワーリレー６２は、電源線５２を切断する。これにより、装置本体２の主電源装置５７への電力の供給が停止する。
【００３０】
（衣類処理装置の動作）
衣類処理装置１を利用する利用者は、図２に示すように、扉７を開けて、衣類１００を吊したハンガー１０１を衣類収容室９内のハンガー掛け２２に掛ける。そして、利用者は、図１に示すように、扉７を閉じる。
【００３１】
次に、利用者は、コインタイマー４のコイン投入口４３にコインを投入する。これにより、コインタイマー４の表示部４４には、コインの投入枚数に対応する動作時間が表示される。また、コイン投入口４３にコインが投入されると、コインタイマー４の金額取得部１３により支払い料金が取得され、コインタイマー４のタイマースイッチ部１４に動作時間が設定される。これにより、タイマースイッチ部１４は、支払い金額に対応する動作時間が経過するまでの間、オンとなる。
【００３２】
タイマースイッチ部１４がオンとなると、給電線５８を介してアクチュエータ３６に電力が供給される。これにより、アクチュエータ３６が駆動すると、ロック機構３は扉７をロックする。また、給電線５８を介してアクチュエータ３６に電力が供給されるとバイパワーリレー６２のコイル部６３に電力が供給されるので、接点部６４が動作して、電源線５２が接続される。従って、主電源装置５７に電力が供給される。
【００３３】
主電源装置５７に電力が供給されると、主電源装置５７から、タッチパネル１１、蒸気発生器１５、加温装置１６、ファン１７、ヒートポンプ装置１８、および、制御部３４へ電力が供給される。従って、タッチパネル１１に衣類処理動作の複数の動作モードが表示される。
【００３４】
ここで、利用者がタッチパネル１１を介して一つの動作モードを選択してスタートボタンをタッチすると、制御部３４は、蒸気発生器１５、加温装置１６、ファン１７、ヒートポンプ装置１８、モータ２４を駆動制御して、選択された動作モードの衣類処理動作を開始する。また、制御部３４は、タッチパネル１１に選択した動作モードが完了するまでの
処理時間を表示する。タッチパネル１１に表示された処理時間がコインタイマー４の表示部４４に表示された時間よりも長い場合には、利用者は、コインタイマー４に追加のコインを投入する。これにより、コインタイマー４のタイマースイッチ部１４がオンとなっている動作時間を衣類処理動作の処理時間以上とする。
【００３５】
衣類処理動作では、制御部３４は、まず、蒸気発生器１５、加温装置１６、および、ファン１７を動作させる。これにより、蒸気発生器１５が発生させた蒸気を加温装置１６により所定の温度状態とする。また、所定の温度状態となった蒸気を、ファン１７が形成する気流Ｓに乗せて衣類収容室９に充満させて対流させる。さらに、制御部３４は、モータ２４を駆動してハンガー掛け２２を振動させる。これにより、ハンガー１０１に吊るされた衣類１００を振動させる。ここで、蒸気が衣類１００に付着すると、衣類１００のしわが伸びる。また、所定の温度状態の蒸気が衣類１００に触れることにより衣類１００が殺菌される。さらに、衣類１００が振動するので、花粉や埃が衣類１００から脱落する。
【００３６】
その後、所定の時間が経過すると、制御部３４は、蒸気発生器１５、加温装置１６、および、モータ２４を停止させてヒートポンプ装置１８を動作させる。ヒートポンプ装置１８は、第２開口部３２を介して衣類収容室９から機械室１０の側に流入する蒸気を含んだ空気を除湿して、再び、第１開口部３１を介して衣類収容室９に供給する。これにより、所定の温度状態で乾燥した空気（温風）が衣類収容室９内で対流するので、衣類１００が乾燥する。ここで、除湿によって衣類収容室９内で水滴となった蒸気は、排水タンク２０に回収される。
【００３７】
そして、処理時間が経過すると、制御部３４は、ファン１７およびヒートポンプ装置１８を停止させて、衣類処理動作を終了する。その後、処理時間以上に設定されている動作時間が経過すると、コインタイマー４の表示部４４に表示された時間はゼロとなり、コインタイマー４のタイマースイッチ部１４はオフとなる。すなわち、投入したコインの枚数に対応する動作時間が経過すると、タイマースイッチ部１４はオフとなる。
【００３８】
タイマースイッチ部１４がオフとなると、タイマースイッチ部１４は給電線５８を切断する。これにより、アクチュエータ３６への電力の供給が停止するので、扉７のロックが解除される。従って、利用者は、扉７を開けて、衣類収容室９からハンガー１０１に掛けられた衣類を取り出すことができる。また、タイマースイッチ部１４が給電線５８を切断すると、バイパワーリレー６２のコイル部６３への電力の供給が停止するので、接点部６４が電源線５２を切断する。これにより、装置本体２の主電源装置５７への電力の供給が停止する。
【００３９】
ここで、故障などによってタイマースイッチ部１４がオフとなった後もアクチュエータ３６への電力の供給が継続されて扉７がロックされている場合には、利用者から連絡を受けた衣類処理装置１の管理者等がロック解除スイッチ４０を操作する。ロック解除スイッチ４０が操作されると、給電線５８が切断されてアクチュエータ３６への電力の供給が遮断されるので、ロック機構３による扉７のロックが解除される。従って、故障時において、衣類収容室９から衣類を取り出すことができる。
【００４０】
また、ロック解除スイッチ４０を操作すると、給電線５８が切断されて、バイパワーリレー６２のコイル部６３への電力の供給が停止する。これにより、バイパワーリレー６２の接点部６４が電源線５２を切断するので、装置本体２の主電源装置５７への電力の供給を停止させることができる。
【００４１】
なお、衣類処理動作の各動作モードでは、衣類収容室９内で蒸気を対流させる時間、衣類を乾燥させる時間、ハンガー掛け２２を振動させる時間、温風の温度などがそれぞれ相
違する。
【００４２】
（作用効果）
本例によれば、コインタイマー４のタイマースイッチ部１４がオンとなっている間、衣類収容室９を開閉する扉７がロックされて閉状態が維持される。従って、衣類処理装置１が、不特定多数が出入りする場所に設置されている場合でも、衣類収容室９に収容した衣類が盗難に遭うことを防止あるいは抑制できる。この一方で、タイマースイッチ部１４がオフとなると、扉７のロックが解除されて、衣類の出し入れが可能となる。これにより、衣類処理装置１の利用者は自己の衣類を衣類収容室９から取り出すことができる。また、タイマースイッチ部１４がオフとなると、扉７のロックが解除されるので、利用者に衣類の取り出しを促すことができる。
【００４３】
また、本例では、コインタイマー４にコインを投入することにより設定された動作時間だけ、装置本体２の主電源装置５７への電力の供給が可能となる。従って、コインタイマー４にコインを投入しない場合に、衣類処理装置１の動作を不能とすることができる。
【００４４】
さらに、本例では、故障などによってタイマースイッチ部１４がオフとなった後も扉７がロックされている場合には、ロック解除スイッチ４０を操作することにより、扉７のロックを解除できる。
【００４５】
ここで、電動のアクチュエータ３６は、ソレノイドに替えて、電磁マグネットやエアー式電磁弁を駆動源として備えるものでもよい。
【００４６】
また、コインタイマー４として、紙幣の受け入れが可能なものを用いてもよい。すなわち、コインタイマー４の金額取得部１３は、投入されたコインまたは紙幣に基づいて支払い金額を取得するものとすることができる。
【００４７】
さらに、コインタイマー４に替えて、プリペイドカード、磁気カード、ＩＣカードなどの金銭情報が記録されたカードから支払い金額を取得する金額取得部１３と、金額取得部１３が取得した支払い金額に対応する動作時間が設定されるタイマースイッチ部１４と、を有するタイマースイッチ（動作時間設定部）を備えてもよい。
【符号の説明】
【００４８】
１…衣類処理装置、２…装置本体、３…ロック機構、４…コインタイマー（動作時間設定部）、６…箱体、６ａ…開口部、７…扉、８…仕切り板、９…衣類収容室、１０…機械室、１１…タッチパネル、１３…金額取得部、１４…タイマースイッチ部、１５…蒸気発生器、１６…加温装置、１７…ファン、１８…ヒートポンプ装置、１９…給水タンク、２０…排水タンク、２２…ハンガー掛け、２３…ハンガー振動機構、２４…モータ、２５…フック、２６…プレス用の板部材、３１…第１開口部、３２…第２開口部、３４…制御部、３６…電動のアクチュエータ、３７…係止部材、３８…被係止部、４０…ロック解除スイッチ、４３…コイン投入口、４４…表示部、５０…電力供給機構、５１…電源コンセント、５２…電源線、５３…プラグ、５４…本体側電源線、５５…着脱用コンセント、５６…電源側電源線、５７…主電源装置（電源装置）、５８…給電線、５９…プラグ、６０…ＡＣアダプター、６２…バイパワーリレー、６３…コイル部、６４…接点部、１００…衣類、１０１…ハンガー
【図１】
2019150236.tif 000003
【図２】
2019150236.tif 000004
【図３】
2019150236.tif 000005
【図４】
2019150236.tif 000006